(57)【特許請求の範囲】
【請求項１】
ガス漏れを検知したとき警報すると共に、マイコンガスメータに内蔵された遮断弁を閉弁するための出力回路を備えたガス漏れ警報器において、
前記出力回路は、プリント基板と、このプリント基板のパターンに入力端子と出力端子が電気的に接続され、前記ガス漏れ警報器の発信部とマイコンガスメータの受信部とを電気的に絶縁するフォトカプラと、このフォトカプラの本体部および入出力端子の全体を包容するように充填された絶縁性充填材とを具備したことを特徴とするガス漏れ警報器。
【請求項２】
ガス漏れを検知したとき警報すると共に、マイコンガスメータに内蔵された遮断弁を閉弁するための出力回路を備えたガス漏れ警報器において、
前記出力回路は、プリント基板と、このプリント基板のパターンに入力端子と出力端子が電気的に接続され、前記ガス漏れ警報器の発信部とマイコンガスメータの受信部とを電気的に絶縁するフォトカプラと、このフォトカプラの本体部と対向する前記プリント基板をくり抜き形成された開口部と、前記フォトカプラの本体部および入出力端子の全体を包容し、かつ前記開口部に充填された絶縁性充填材とを具備したことを特徴とするガス漏れ警報器。
【請求項３】
前記絶縁性充填材は、エポキシ樹脂であることを特徴とする請求項１または２記載のガス漏れ警報器。
【発明の詳細な説明】
【０００１】
【発明の属する技術分野】
この発明は、ガス漏れを検知したとき警報すると共に、マイコンガスメータに内蔵された遮断弁を閉弁するための出力回路を備えたガス漏れ警報器に関する。
【０００２】
【従来の技術】
ガス漏れ警報器は、ガス器具の近傍の室内壁等に据え付けられ、ガス器具あるいはガス配管の接続部からガスが漏洩した場合、ガス漏れ警報器本体の内部に設けたガスセンサが漏れたガスを検知し、警報器が作動して警報を発生することにより、ガスが漏れていることを知らせるようになっている。また、ガス漏れ警報器がマイコンガスメータの遮断弁に電気的に接続されているガス漏れ警報遮断システムの場合には、ガス漏れ警報器が警報を発生するとともに、一定時間（４０秒前後）経過後、遮断信号を遮断弁に送り、これを作動させてガスの供給を遮断するようになっている。
【０００３】
すなわち、ガス漏れ警報器は、マイコンガスメータに内蔵された遮断弁を閉弁するための出力回路を備えており、この出力回路がオンすると、マイコンガスメータはこの信号を受けて遮断弁を閉じるようになっており、前記出力回路にはフォトカプラが設けられている。
【０００４】
フォトカプラは、発光素子と受光素子とからなり、発光素子が入力端子に接続され、受光素子が出力端子に接続されている。図５に示すように、フォトカプラ２１の入力端子２２ａがプリント基板２３の一方のパターン２４ａに、出力端子２２ｂがプリント基板２３の他方のパターン２４ｂにはんだ付けされている。
【０００５】
したがって、入力端子２２ａと出力端子２２ｂとは電気的に絶縁されているが、ガスセンサが漏れたガスを検知し、警報器が作動して警報を発生することにより、ガスが漏れていることを知らせ、一定時間経過後、遮断信号が入力端子２２ａに入ると、フォトカプラ１が導通して出力端子２２ｂを介してマイコンガスメータの電気回路が遮断信号を受信し、遮断弁が閉弁するようになっている。
【０００６】
【発明が解決しようとする課題】
しかしながら、雷サージがガス漏れ警報器の電源から入ると、接続線を経由してマイコンガスメータへ抜けていくことがあり、このとき、フォトカプラ２１の入力端子２２ａと出力端子２２ｂとの間またはパターン２４ａ，２４ｂ間で放電する。このように雷サージがガス漏れ警報器からマイコンガスメータへ抜けると、ガス漏れ警報器およびマイコンガスメータの内部の電気回路を破壊することがあった。
【０００７】
この発明は、前記事情に着目してなされたもので、その目的とするところは、雷サージがガス漏れ警報器からマイコンガスメータへ抜けにくく、ガス漏れ警報器およびマイコンガスメータの破損を未然に防止することができるガス漏れ警報器を提供することにある。
【０００８】
【課題を解決するための手段】
この発明は、前述した目的を達成するために、請求項１は、ガス漏れを検知したとき警報すると共に、マイコンガスメータに内蔵された遮断弁を閉弁するための出力回路を備えたガス漏れ警報器において、前記出力回路は、プリント基板と、このプリント基板のパターンに入力端子と出力端子が電気的に接続され、前記ガス漏れ警報器の発信部とマイコンガスメータの受信部とを電気的に絶縁するフォトカプラと、このフォトカプラの本体部および入出力端子の全体を包容するように充填された絶縁性充填材とを具備したことを特徴とする。
【０００９】
請求項２は、ガス漏れを検知したとき警報すると共に、マイコンガスメータに内蔵された遮断弁を閉弁するための出力回路を備えたガス漏れ警報器において、前記出力回路は、プリント基板と、このプリント基板のパターンに入力端子と出力端子が電気的に接続され、前記ガス漏れ警報器の発信部とマイコンガスメータの受信部とを電気的に絶縁するフォトカプラと、このフォトカプラの本体部と対向する前記プリント基板をくり抜き形成された開口部と、前記フォトカプラの本体部および入出力端子の全体を包容し、かつ前記開口部に充填された絶縁性充填材とを具備したことを特徴とする。
請求項３は、請求項１または２の絶縁性充填材は、エポキシ樹脂であることを特徴とする。
【００１０】
【発明の実施の形態】
以下、この発明の実施の形態を図面に基づいて説明する。
図１〜図３は第１の実施形態を示す。図３において、１はガス漏れ警報器を示すもので、ガス器具の近傍の室内壁等に据え付けられ、ガス器具あるいはガス配管の接続部からガスが漏洩した場合、ガス漏れ警報器１の内部に設けたガスセンサ２が漏れたガスを検知し、警報部３が作動して警報を発生すると共に、屋外に設置されたマイコンガスメータ４の遮断弁（図示しない）を閉弁させることができるようになっている。
【００１１】
また、図１および図２に示すように、ガス漏れ警報器１の内部には前記マイコンガスメータ４へ遮断弁を閉弁させる信号を出力する出力回路５が設けられている。すなわち、出力回路５を構成するプリント基板６には電気的に絶縁されたパターン７ａ，７ｂが設けられている。また、プリント基板６にはフォトカプラ８が設けられており、このフォトカプラ８の本体部８ａの一端には発光素子（図示しない）と接続する入力端子９ａと受光素子（図示しない）と接続する出力端子９ｂが設けられている。
【００１２】
そして、入力端子９ａは前記一方のパターン７ａに、出力端子９ｂは他方のパターン７ｂにそれぞれはんだ付けされ、本体部８ａはプリント基板６から離れた状態に固定されている。
【００１３】
さらに、フォトカプラ８の本体部８ａと対向するプリント基板６にはくり抜き形成された開口部１０が設けられている。この開口部１０は本体部８ａの形状に倣って矩形状で、本体部８ａよりやや大きく形成されている。また、前記フォトカプラ８の本体部８ａおよび入力端子９ａ、出力端子９ｂの全体を包容し、かつ前記開口部１０にエポキシ樹脂からなる絶縁性充填材１１が充填されている。
【００１４】
このようにフォトカプラ８の表裏全体を絶縁性充填材１１によって充填することによって入力端子９ａと出力端子９ｂとの間およびパターン７ａと７ｂとの間の沿面距離が長くなり、両者間での放電が発生しにくく、雷サージ耐圧を上げることができる。雷サージ耐圧は、沿面距離および絶縁性充填材１１の材質によって異なるが、発明者の実験によれば、従来のタイプのものが、１０ｋＶであったが、この発明のものにおいては、２５ｋＶであった。したがって、雷サージがガス漏れ警報器１からマイコンガスメータ４へ抜けにくくなり、ガス漏れ警報器１およびマイコンガスメータ４の内部の電気回路の破壊を未然に防止することができる。
【００１５】
図４は第２の実施形態を示すもので、プリント基板６に開口部１０を設けずに、前記フォトカプラ８の本体部８ａおよび入力端子９ａ、出力端子９ｂの全体を包容するようにエポキシ樹脂からなる絶縁性充填材１１を充填した構造である。
【００１６】
このようにフォトカプラ８の表裏全体を絶縁性充填材１１によって充填することによって第１の実施形態と同様に、入力端子９ａと出力端子９ｂとの間およびパターン７ａと７ｂとの間の沿面距離が長くなり、両者間での放電が発生しにくく、雷サージ耐圧を上げることができる。
なお、絶縁性充填材としてエポキシ樹脂を用いたが、この発明はエポキシ樹脂に限定されるものではない。
【００１７】
【発明の効果】
以上説明したように、請求項１，２によれば、フォトカプラの表裏全体を絶縁性充填材によって充填することによって入力端子と出力端子との間およびパターン間の沿面距離が長くなり、両者間での放電が発生しにくく、雷サージ耐圧を上げることができる。したがって、雷サージがガス漏れ警報器からマイコンガスメータへ抜けにくくなり、ガス漏れ警報器およびマイコンガスメータの内部の電気回路の破壊を未然に防止することができる。
【図面の簡単な説明】
【図１】この発明の第１の実施形態の出力回路部を示す縦断正面図。
【図２】同実施形態の出力回路部を示す平面図。
【図３】同実施形態の構成図。
【図４】この発明の第２の実施形態の出力回路部を示す縦断正面図。
【図５】従来の出力回路部を示す縦断正面図。
【符号の説明】
１…ガス漏れ警報器
５…出力回路
６…プリント基板
７ａ，７ｂ…パターン
８…フォトカプラ
９ａ…入力端子
９ｂ…出力端子
１０…開口部
１１…絶縁性充填材
【図１】
0003692190.tif 000002
【図２】
0003692190.tif 000003
【図３】
0003692190.tif 000004
【図４】
0003692190.tif 000005
【図５】
0003692190.tif 000006